(57)【要約】【課題】照明器具の高さが低い場合でも、照明器具の設置面上の特定の領域に強い光が集中することを抑制できる照明器具を提供する。【解決手段】照明器具１は、筐体３と、第１反射部７と、第２反射部９と、光源１１とを備える。筐体３は、開口５を有する。第１反射部７は、開口５に向けて光を反射する。第２反射部９は、開口５に向けて光を反射する。光源１１は、第１反射部７及び第２反射部９の下方に位置し、第１反射部７及び第２反射部９に向けて光を出射する。第２反射部９に基づく光源１１の光ＬＴ２の配光ＬＤ１は、第１反射部７に基づく光源１１の光ＬＴ１の配光ＬＤ１と異なる。【選択図】図２
2019207830.tif 000002
【特許請求の範囲】
【請求項１】
開口を有する筐体と、
前記開口に向けて光を反射する第１反射部と、
前記開口に向けて光を反射する第２反射部と、
前記第１反射部及び前記第２反射部の下方に位置し、前記第１反射部及び前記第２反射部に向けて光を出射する光源と
を備え、
前記第２反射部に基づく前記光源の光の配光は、前記第１反射部に基づく光源の光の配光と異なる、照明器具。
【請求項２】
前記第２反射部は、
光を反射する複数の第１反射面と、
各々が前記第１反射面に対して窪んでいる複数の凹部と
を有し、
前記複数の凹部の各々は、光を反射する第２反射面を有する、請求項１に記載の照明器具。
【請求項３】
前記第２反射部は、
光を反射する複数の第１反射面と、
各々が前記第１反射面に対して突出している複数の凸部と
を有し、
前記複数の凸部の各々は、光を反射する第３反射面を有する、請求項１に記載の照明器具。
【請求項４】
前記第２反射部は、前記光源から離れる方向に凸状に湾曲している、請求項１から請求項３のいずれか１項に記載の照明器具。
【請求項５】
前記第１反射部は、前記光源から離れる方向に凸状に湾曲している、請求項１から請求項４のいずれか１項に記載の照明器具。
【発明の詳細な説明】
【技術分野】
【０００１】
本発明は、照明器具に関する。
【背景技術】
【０００２】
特許文献１に記載された照明器具は、筒状の下ポールと、筒状の上ポールと、灯具とを備える。下ポールは、地中に埋設される。上ポールは、下ポールの上端に接続される。灯具は、上ポールの上端に取付けられる。灯具は光源を有する。
【先行技術文献】
【特許文献】
【０００３】
【特許文献１】特開２０１０−２７７７１０号公報
【発明の概要】
【発明が解決しようとする課題】
【０００４】
しかしながら、特許文献１に記載された照明器具では、灯具が地面（照明器具の設置面）に光を照射する際に、照明器具に近い領域に強い光が集中する。つまり、照明器具に近い領域に照度ピークが存在する。特に照明器具の高さが低くなると、灯具の光源と地面との距離が短くなるため、照度ピークが顕著になる。その結果、見る人に、光が広がっていない印象を与える。
【０００５】
本発明は上記課題に鑑みてなされたものであり、その目的は、照明器具の高さが低い場合でも、照明器具の設置面上の特定の領域に強い光が集中することを抑制できる照明器具を提供することにある。
【課題を解決するための手段】
【０００６】
本願に開示する照明器具は、筐体と、第１反射部と、第２反射部と、光源とを備える。筐体は、開口を有する。第１反射部は、前記開口に向けて光を反射する。第２反射部は、前記開口に向けて光を反射する。光源は、前記第１反射部及び前記第２反射部の下方に位置し、前記第１反射部及び前記第２反射部に向けて光を出射する。前記第２反射部に基づく前記光源の光の配光は、前記第１反射部に基づく光源の光の配光と異なる。
【０００７】
本願に開示する照明器具において、前記第２反射部は、光を反射する複数の第１反射面と、複数の凹部とを有することが好ましい。複数の凹部の各々は、前記第１反射面に対して窪んでいることが好ましい。前記複数の凹部の各々は、光を反射する第２反射面を有することが好ましい。
【０００８】
本願に開示する照明器具において、前記第２反射部は、光を反射する複数の第１反射面と、複数の凸部とを有することが好ましい。複数の凸部の各々は、前記第１反射面に対して突出していることが好ましい。前記複数の凸部の各々は、光を反射する第３反射面を有することが好ましい。
【０００９】
本願に開示する照明器具において、前記第２反射部は、前記光源から離れる方向に凸状に湾曲していることが好ましい。
【００１０】
本願に開示する照明器具において、前記第１反射部は、前記光源から離れる方向に凸状に湾曲していることが好ましい。
【発明の効果】
【００１１】
本発明によれば、照明器具の高さが低い場合でも、照明器具の設置面上の特定の領域に強い光が集中することを抑制できる。
【図面の簡単な説明】
【００１２】
【図１】本発明の実施形態１に係る照明器具を示す斜視図である。
【図２】実施形態１に係る照明器具を示す模式的縦断面図である。
【図３】実施形態１に係る照明器具の第２反射部を示す斜視図である。
【図４】実施形態１に係る照明器具の第２反射部を示す模式的断面図である。
【図５】実施形態１に係る照明器具の第２反射部の一部を拡大して示す模式的断面図である。
【図６】実施形態１の第１変形例に係る照明器具の第２反射部の一部を拡大して示す模式的断面図である。
【図７】実施形態１の第２変形例に係る照明器具の第２反射部の一部を拡大して示す模式的断面図である。
【図８】実施形態１の第３変形例に係る照明器具の第２反射部の一部を拡大して示す模式的断面図である。
【図９】本発明の実施形態２に係る照明器具を示す模式的縦断面図である。
【発明を実施するための形態】
【００１３】
以下、本発明の実施形態について、図面を参照しながら説明する。なお、図中、同一または相当部分については同一の参照符号を付して説明を繰り返さない。また、図中、理解の容易のため、三次元直交座標系のＸ軸、Ｙ軸、およびＺ軸を適宜記載している。Ｘ軸及びＹ軸は水平方向に平行であり、Ｚ軸は鉛直方向に平行である。Ｚ軸の正方向は上方向を示し、Ｚ軸の負方向は下方向を示す。
【００１４】
（実施形態１）
図１〜図５を参照して、本発明の実施形態１に係る照明器具１を説明する。まず、図１を参照して照明器具１を説明する。図１は、実施形態１に係る照明器具１を示す斜視図である。図１に示すように、照明器具１は設置面ＧＤに設置される。設置面ＧＤは、典型的には、地面である。照明器具１は、設置面ＧＤに向けて光を出射する。
【００１５】
照明器具１は筐体３を備える。実施形態１では、筐体３は、中空の略直方体状である。筐体３は開口５を有する。開口５は略矩形状である。なお、照明器具１が設置面ＧＤに向けて光を出射できる限りにおいて、筐体３及び開口５の形状は特に限定されない。
【００１６】
次に、図２を参照して、照明器具１の内部構造を説明する。図２は、照明器具１を示す模式的縦断面図である。なお、図２では、図面の簡略化のため、断面を示すハッチングを適宜省略している。
【００１７】
図２に示すように、照明器具１は、第１反射部７と、第２反射部９と、光源１１と、支持体１３とをさらに備える。筐体３は、第１反射部７、第２反射部９、光源１１、及び支持体１３を収容する。
【００１８】
支持体１３は筐体３の内部に固定される。支持体１３は光源１１を支持する。
【００１９】
光源１１は、第１反射部７及び第２反射部９の下方に位置する。光源１１は、第１反射部７及び第２反射部９に向けて光ＬＴ０を出射する。具体的には、光源１１は発光体１１ａを含む。発光体１１ａは発光する。発光体１１ａは、単数又は複数の発光素子を含む。発光素子は、例えば、ＬＥＤ（Ｌｉｇｈｔ  Ｅｍｉｔｔｉｎｇ  Ｄｉｏｄｅ）である。なお、発光体１１ａは、発光素子に代えて、蛍光灯又は白熱電球を含んでいてもよい。
【００２０】
第１反射部７は、開口５に向けて光ＬＴ１を反射する。具体的には、第１反射部７は、光源１１の出射した光ＬＴ０の一部を光ＬＴ１として開口５に向けて反射する。第１反射部７は反射面７ａを有する。反射面７ａは、例えば、光ＬＴ１を鏡面反射する。
【００２１】
第１反射部７は支持体１３に固定される。第１反射部７は、断面視において略湾曲形状を有する。具体的には、第１反射部７は、開口５から離れる方向に凸状に湾曲している。つまり、第１反射部７は、光源１１から離れる方向に凸状に湾曲している。第１反射部７は、第２反射部９よりも光源１１の近くに配置される。
【００２２】
第２反射部９は、開口５に向けて光ＬＴ２を反射する。具体的には、第２反射部９は、光源１１の出射した光ＬＴ０の一部を光ＬＴ２として開口５に向けて反射する。第２反射部９は反射面９ａを有する。反射面９ａは、例えば、光ＬＴ２を鏡面反射する。
【００２３】
第２反射部９は支持体１３に固定される。第２反射部９は、断面視において略湾曲形状を有する。具体的には、第２反射部９は、開口５から離れる方向に凸状に湾曲している。つまり、第２反射部９は、光源１１から離れる方向に凸状に湾曲している。第２反射部９は、第１反射部７よりも光源１１から離れて配置される。
【００２４】
第１反射部７の反射面７ａ及び第２反射部９の反射面９ａの各々は、例えば、鏡面反射を起こす塗料を板金又は合成樹脂に塗布することにより形成される。又は、反射面７ａ及び反射面９ａの各々は、例えば、鏡面反射を起こすように板金又は合成樹脂にメッキを行うことにより形成される。なお、反射面７ａ及び反射面９ａの各々は、鏡面を有することは必須ではない。
【００２５】
第１反射部７と第２反射部９とは、別部材として構成される。第１反射部７と第２反射部９とは、第１反射部７の下部と第２反射部９の上部とが重なるように配置される。従って、実施形態１によれば、光源１１の出射した光ＬＴ０が、第１反射部７及び第２反射部９の背面側に漏れることを抑制できる。
【００２６】
第１反射部７と第２反射部９とが重なっている部分以外の部分において、水平方向に対する第２反射部９の傾斜角θｂは、水平方向に対する第１反射部７の傾斜角θａと異なる。傾斜角θａ及び傾斜角θｂの各々は、鋭角である。
【００２７】
すなわち、第２反射部９の傾斜は、第１反射部７の傾斜と異なる。従って、第２反射部９に基づく光源１１の光ＬＴ０の配光ＬＤ２（つまり、光ＬＴ２の照射方向）は、第１反射部７に基づく光源１１の光ＬＴ０の配光ＬＤ１（つまり、光ＬＴ１の照射方向）と異なる。つまり、光源１１の光ＬＴ０が、第２反射部９と第１反射部７とによって、互いに異なる方向に配分される。その結果、実施形態１によれば、照明器具１の高さが低い場合でも、照明器具１の設置面ＧＤ上の特定の領域に強い光が集中することを抑制できる。
【００２８】
特に、実施形態１では、第１反射部７と第２反射部９とが重なっている部分以外の部分において、第２反射部９の傾斜角θｂは、第１反射部７の傾斜角θａよりも小さい。つまり、第２反射部９の傾斜は、第１反射部７の傾斜よりも小さい。従って、第２反射部９が反射する光ＬＴ２は、設置面ＧＤのうち照明器具１に近い側の面に照射される。一方、第１反射部７が反射する光ＬＴ１は、設置面ＧＤのうち照明器具１から遠い側の面に照射される。つまり、光源１１の光ＬＴ０が、第２反射部９と第１反射部７とによって、設置面ＧＤのうち照明器具１に近い側の面と遠い側の面とに配分される。その結果、実施形態１によれば、照明器具１の高さが低い場合でも、設置面ＧＤのうち照明器具１に近い側の面に強い光が集中することを抑制できる。照明器具１に近い側の面に強い光が集中することを抑制できると、照明器具１の高さが低い場合でも、見る者に、広い範囲に光が届いている印象を与えることができる。
【００２９】
次に、図３〜図５を参照して、第２反射部９の詳細を説明する。図３は、第２反射部９を示す斜視図である。図４は、第２反射部９を示す模式的断面図である。図５は、第２反射部９の一部を拡大して示す模式的断面図である。なお、図４及び図５では、図面の簡略化のため、断面を示すハッチングを省略している。
【００３０】
図３及び図４に示すように、第２反射部９は、複数の第１反射面２１と、複数の凹部２２とを有する。複数の第１反射面２１の各々は、光を反射する。複数の第１反射面２１の各々は、例えば、略平坦である。複数の凹部２２の各々は、第１反射面２１対して窪んでいる。複数の凹部２２は、三角格子状に配置される。なお、複数の凹部２２の配置は、三角格子状に限定されず、例えば、矩形格子状又は正方格子状であってもよい。複数の凹部２２の各々は、第２反射面２２ａを有する。複数の第２反射面２２ａの各々は、光を反射する。複数の第２反射面２２ａの各々は、例えば、略平坦である。複数の第１反射面２１と複数の第２反射面２２ａとは、反射面９ａを構成する。
【００３１】
図５に示すように、第１反射面２１は、光ＬＴ２１を第１反射角θ１で反射する。一方、凹部２２の第２反射面２２ａは、光ＬＴ２２を第２反射角θ２で反射する。第２反射角θ２は、第１反射角θ１よりも小さい。従って、第２反射面２２ａは、第１反射面２１の反射する光ＬＴ２１よりも下方に向けて光ＬＴ２２を反射する。
【００３２】
第１反射角θ１は、第２反射部９の傾斜角θｂによって設定される。第２反射角θ２は、傾斜角θｘによって設定される。傾斜角θｘは、第１反射面２１に対する第２反射面２２ａの上端２２ｂからの傾斜角を示す。
【００３３】
以上、図５を参照して説明したように、実施形態１によれば、第２反射面２２ａの第２反射角θ２は、第１反射面２１の第１反射角θ１と異なる。従って、第２反射部９は、複数の第２反射面２２ａと複数の第１反射面２１とによって、互いに異なる配光を実現する。つまり、光源１１の光が、第２反射面２２ａと第１反射面２１とによって、互いに異なる方向に配分される。その結果、照明器具１の設置面ＧＤ上の特定の領域に強い光が集中することを更に抑制できる。
【００３４】
特に、実施形態１では、図２に示すように、第２反射部９は、第２反射部９の全体としては、設置面ＧＤのうち照明器具１に近い側の面に光ＬＴ２を照射する。加えて、図５に示すように、第２反射面２２ａの第２反射角θ２は、第１反射面２１の第１反射角θ１より小さい。従って、設置面ＧＤのうち照明器具１に近い側の面内において、第２反射面２２ａが反射する光ＬＴ２２は、照明器具１に近い側の領域に照射され、第１反射面２１が反射する光ＬＴ２１は、照明器具１から遠い側の領域に照射される。
【００３５】
すなわち、光源１１の光が、第２反射面２２ａと第１反射面２１とによって、設置面ＧＤのうち照明器具１に近い側の面内において、照明器具１に近い側の領域と遠い側の領域とに配分される。従って、実施形態１によれば、設置面ＧＤのうち照明器具１に近い側の面内において、照明器具１に近い側の領域に強い光が集中することを抑制できる。その結果、照明器具１の高さが低い場合でも、見る者に、広い範囲に光が届いている印象を与えることができる。
【００３６】
なお、図２では、第１反射部７と第２反射部９とは、別部材で構成された。ただし、第１反射部７と第２反射部９とは、単一の部材で構成されてもよい。また、第１反射部７と第２反射部９との位置が逆であってもよい。つまり、第２反射部９が、第１反射部７よりも光源１１の近くに配置されてもよい。この場合は、第１反射部７と第２反射部９とが重なっている部分以外の部分において、第２反射部９の傾斜角θｂは、第１反射部７の傾斜角θａよりも大きい。
【００３７】
また、開口５にカバー（不図示）を配置することも可能である。カバーは、例えば、略平坦であり、透明色（有色透明又は無色透明）を有する。又は、カバーは、例えば、スプレッドレンズとしての機能を有する。つまり、カバーは、光を水平方向に広げる機能を有する。この場合は、設置面ＧＤ上で照射領域の境界が目立つことを抑制できる。又は、カバーは、例えば、光を拡散する拡散板としての機能を有する。
【００３８】
（第１変形例）
図６を参照して、実施形態１の第１変形例に係る照明器具１を説明する。第１変形例に係る照明器具１の第２反射部９が複数の凸部２３を有する点で、第１変形例は、図５を参照して説明した実施形態１に係る照明器具１と主に異なる。以下、第１変形例が、実施形態１と異なる点を主に説明する。
【００３９】
図６は、第１変形例に係る第２反射部９の一部を拡大して示す模式的断面図である。なお、図６では、図面の簡略化のため、断面を示すハッチングを省略している。
【００４０】
図６に示すように、第１変形例に係る第２反射部９は、図３〜図５に示す複数の凹部２２に代えて、複数の凸部２３を有する。複数の凸部２３の各々は、第１反射面２１対して突出している。複数の凸部２３の配置は、実施形態１に係る複数の凹部２２の配置と同様である。複数の凸部２３の各々は、第３反射面２３ａを有する。複数の第３反射面２３ａの各々は、光を反射する。複数の第３反射面２３ａの各々は、例えば、略平坦である。複数の第１反射面２１と複数の第３反射面２３ａとは、反射面９ａを構成する。
【００４１】
凸部２３の第３反射面２３ａは、光ＬＴ２２を第２反射角θ２で反射する。第２反射角θ２は、第１反射角θ１よりも小さい。従って、第３反射面２３ａは、第１反射面２１の反射する光ＬＴ２１よりも下方に向けて光ＬＴ２２を反射する。第２反射角θ２は、傾斜角θｘによって設定される。傾斜角θｘは、第１反射面２１に対する第３反射面２３ａの下端２３ｂからの傾斜角を示す。
【００４２】
以上、図６を参照して説明したように、第１変形例によれば、第３反射面２３ａの第２反射角θ２は、第１反射面２１の第１反射角θ１と異なる。従って、光源１１の光が、第３反射面２３ａと第１反射面２１とによって、互いに異なる方向に配分される。その結果、照明器具１の設置面ＧＤ上の特定の領域に強い光が集中することを抑制できる。
【００４３】
具体的には、第２反射角θ２が第１反射角θ１よりも小さいため、実施形態１と同様に、設置面ＧＤのうち照明器具１に近い側の面内において、第３反射面２３ａが反射する光ＬＴ２２は、照明器具１に近い側の領域に照射され、第１反射面２１が反射する光ＬＴ２１は、照明器具１から遠い側の領域に照射される。従って、第１変形例によれば、設置面ＧＤのうち照明器具１に近い側の面内において、照明器具１に近い側の領域に強い光が集中することを抑制できる。
【００４４】
（第２変形例）
図７を参照して、実施形態１の第２変形例に係る照明器具１を説明する。第２変形例に係る照明器具１において第２反射部９の凸部２４の反射角が大きい点で、第２変形例は、図６を参照して説明した第１変形例に係る照明器具１と主に異なる。以下、第２変形例が、第１変形例と異なる点を主に説明する。
【００４５】
図７は、第２変形例に係る第２反射部９の一部を拡大して示す模式的断面図である。なお、図７では、図面の簡略化のため、断面を示すハッチングを省略している。
【００４６】
図７に示すように、第２変形例に係る第２反射部９は、図６に示す複数の凸部２３に代えて、複数の凸部２４を有する。複数の凸部２４の各々は、第１反射面２１対して突出している。複数の凸部２４の配置は、第１変形例に係る複数の凸部２３の配置と同様である。複数の凸部２４の各々は、第３反射面２４ａを有する。複数の第３反射面２４ａの各々は、光を反射する。複数の第３反射面２４ａの各々は、例えば、略平坦である。複数の第１反射面２１と複数の第３反射面２４ａとは、反射面９ａを構成する。
【００４７】
凸部２４の第３反射面２４ａは、光ＬＴ２２を第３反射角θ３で反射する。第３反射角θ３は、第１反射角θ１よりも大きい。従って、第３反射面２４ａは、第１反射面２１の反射する光ＬＴ２１よりも上方に向けて光ＬＴ２２を反射する。第３反射角θ３は、傾斜角θｙによって設定される。傾斜角θｙは、第１反射面２１に対する第３反射面２４ａの上端２４ｂからの傾斜角を示す。
【００４８】
以上、図７を参照して説明したように、第２変形例によれば、第３反射面２４ａの第３反射角θ３は、第１反射面２１の第１反射角θ１と異なる。従って、光源１１の光が、第３反射面２４ａと第１反射面２１とによって、互いに異なる方向に配分される。その結果、照明器具１の設置面ＧＤ上の特定の領域に強い光が集中することを抑制できる。
【００４９】
具体的には、第３反射角θ３が第１反射角θ１よりも大きいため、設置面ＧＤのうち照明器具１に近い側の面内において、第３反射面２４ａが反射する光ＬＴ２２は、照明器具１から遠い側の領域に照射され、第１反射面２１が反射する光ＬＴ２１は、照明器具１から近い側の領域に照射される。従って、第２変形例によれば、設置面ＧＤのうち照明器具１に近い側の面内において、照明器具１に近い側の領域に強い光が集中することを抑制できる。
【００５０】
（第３変形例）
図８を参照して、実施形態１の第３変形例に係る照明器具１を説明する。第３変形例に係る照明器具１において第２反射部９の凹部２５の反射角が大きい点で、第３変形例は、図５を参照して説明した実施形態１に係る照明器具１と主に異なる。以下、第３変形例が、実施形態１と異なる点を主に説明する。
【００５１】
図８は、第３変形例に係る第２反射部９の一部を拡大して示す模式的断面図である。なお、図８では、図面の簡略化のため、断面を示すハッチングを省略している。
【００５２】
図８に示すように、第３変形例に係る第２反射部９は、図５に示す複数の凹部２２に代えて、複数の凹部２５を有する。複数の凹部２５の各々は、第１反射面２１対して窪んでいる。複数の凹部２５の配置は、実施形態１に係る複数の凹部２２の配置と同様である。複数の凹部２５の各々は、第２反射面２５ａを有する。複数の第２反射面２５ａの各々は、光を反射する。複数の第２反射面２５ａの各々は、例えば、略平坦である。複数の第１反射面２１と複数の第２反射面２５ａとは、反射面９ａを構成する。
【００５３】
凹部２５の第２反射面２５ａは、光ＬＴ２２を第３反射角θ３で反射する。第３反射角θ３は、第１反射角θ１よりも大きい。従って、第２反射面２５ａは、第１反射面２１の反射する光ＬＴ２１よりも上方に向けて光ＬＴ２２を反射する。第３反射角θ３は、傾斜角θｙによって設定される。傾斜角θｙは、第１反射面２１に対する第２反射面２５ａの下端２５ｂからの傾斜角を示す。
【００５４】
以上、図８を参照して説明したように、第３変形例によれば、第２反射面２５ａの第３反射角θ３は、第１反射面２１の第１反射角θ１と異なる。従って、光源１１の光が、第２反射面２５ａと第１反射面２１とによって、互いに異なる方向に配分される。その結果、照明器具１の設置面ＧＤ上の特定の領域に強い光が集中することを抑制できる。
【００５５】
具体的には、第３反射角θ３が第１反射角θ１よりも大きいため、設置面ＧＤのうち照明器具１に近い側の面内において、第２反射面２５ａが反射する光ＬＴ２２は、照明器具１から遠い側の領域に照射され、第１反射面２１が反射する光ＬＴ２１は、照明器具１から近い側の領域に照射される。従って、第２変形例によれば、設置面ＧＤのうち照明器具１に近い側の面内において、照明器具１に近い側の領域に強い光が集中することを抑制できる。
【００５６】
（実施形態２）
図９を参照して、本発明の実施形態２に係る照明器具１Ａを説明する。実施形態２に係る照明器具１Ａが略平板状の第２反射部９０を備えている点で、実施形態２は実施形態１と主に異なる。以下、実施形態２が実施形態１と異なる点を主に説明する。
【００５７】
図９は、実施形態２に係る照明器具１Ａを示す模式的縦断面図である。なお、図９では、図面の簡略化のため、断面を示すハッチングを適宜省略している。
【００５８】
図９に示すように、照明器具１Ａは、図２を参照して説明した照明器具１の第２反射部９に代えて、第２反射部９０を備える。
【００５９】
第１反射部７の構成は、図２を参照して説明した第１反射部７の構成と同様である。第１反射部７は、第２反射部９０よりも光源１１から離れて配置される。
【００６０】
第２反射部９０は、開口５に向けて光ＬＴ２を反射する。具体的には、第２反射部９０は、光源１１の出射した光ＬＴ０の一部を光ＬＴ２として開口５に向けて反射する。第２反射部９０は、略平板状であり、略平坦な反射面９０ａを有する。従って、湾曲構造と比較して、第２反射部９０の製造コストを低減できる。反射面９０ａは、例えば、光ＬＴ２を鏡面反射する。反射面９０ａは、反射面７ａと同様にして形成される。第２反射部９０は支持体１３に固定される。なお、反射面９０ａは、鏡面を有することは必須ではない。
【００６１】
水平方向に対する第２反射部９０の傾斜角θｂは、水平方向に対する第１反射部７の傾斜角θａと異なる。傾斜角θａ及び傾斜角θｂの各々は、鋭角である。
【００６２】
すなわち、第２反射部９０の傾斜は、第１反射部７の傾斜と異なる。従って、第２反射部９０に基づく光源１１の光ＬＴ０の配光ＬＤ２（つまり、光ＬＴ２の照射方向）は、第１反射部７に基づく光源１１の光ＬＴ０の配光ＬＤ１（つまり、光ＬＴ１の照射方向）と異なる。つまり、光源１１の光ＬＴ０が、第２反射部９０と第１反射部７とによって、互いに異なる方向に配分される。その結果、実施形態２によれば、照明器具１Ａの高さが低い場合でも、照明器具１Ａの設置面ＧＤ上の特定の領域に強い光が集中することを抑制できる。
【００６３】
特に、実施形態２では、第２反射部９０の傾斜角θｂは、第１反射部７の傾斜角θａよりも大きい。つまり、第２反射部９０の傾斜は、第１反射部７の傾斜よりも大きい。従って、第２反射部９０が反射する光ＬＴ２は、設置面ＧＤのうち照明器具１Ａから遠い側の面に照射される。一方、第１反射部７が反射する光ＬＴ１は、設置面ＧＤのうち照明器具１Ａに近い側の面に照射される。つまり、光源１１の光ＬＴ０が、第２反射部９０と第１反射部７とによって、設置面ＧＤのうち照明器具１Ａに遠い側の面と近い側の面とに配分される。その結果、実施形態２によれば、照明器具１Ａの高さが低い場合でも、設置面ＧＤのうち照明器具１Ａに近い側の面に強い光が集中することを抑制できる。照明器具１Ａに近い側の面に強い光が集中することを抑制できると、照明器具１Ａの高さが低い場合でも、見る者に、広い範囲に光が届いている印象を与えることができる。
【００６４】
なお、図９では、第１反射部７と第２反射部９０とは、別部材で構成された。ただし、第１反射部７と第２反射部９０とは、単一の部材で構成されてもよい。また、第１反射部７と第２反射部９０との位置が逆であってもよい。つまり、第２反射部９０が、第１反射部７よりも光源１１から離れて配置されてもよい。この場合は、第２反射部９の傾斜角θｂは、第１反射部７の傾斜角θａよりも小さい。また、開口５にカバー（不図示）を配置することも可能である。カバーは、図２を参照して説明した開口５に配置可能なカバーと同様である。
【００６５】
以上、図面を参照しながら本発明の実施形態について説明した。但し、本発明は、上記の実施形態に限られるものではなく、その要旨を逸脱しない範囲で種々の態様において実施することが可能である。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【産業上の利用可能性】
【００６６】
本発明は、照明器具を提供するものであり、産業上の利用可能性を有する。
【符号の説明】
【００６７】
１、１Ａ    照明器具
５    開口
７    第１反射部
９、９０    第２反射部
１１    光源
２１    第１反射面
２２、２５    凹部
２２ａ、２５ａ    第２反射面
２３、２４    凸部
２３ａ、２４ａ    第３反射面
【図１】
2019207830.tif 000003
【図２】
2019207830.tif 000004
【図３】
2019207830.tif 000005
【図４】
2019207830.tif 000006
【図５】
2019207830.tif 000007
【図６】
2019207830.tif 000008
【図７】
2019207830.tif 000009
【図８】
2019207830.tif 000010
【図９】
2019207830.tif 000011